(57)【要約】【課題】簡単な構成で、汎用性が高く、簡単な作業で容易に茎の切断端部に固定することが可能で、植物に必要な水分あるいは養分を供給して鮮度を充分に維持する保水具を提供すること。【解決手段】茎の切断端部に固定され、茎に水分あるいは養分を供給する保水具１０であって、茎に固定保持される保持部材１２と、該保持部材１２と一体化され、茎に供給する水分あるいは養分を保持する保水材１１とを有すること。【選択図】図１
2013000017.tif 000002
【特許請求の範囲】
【請求項１】
茎の切断端部に固定され、茎に水分あるいは養分を供給する保水具であって、
茎に固定保持される保持部材と、
該保持部材と一体化され、茎に供給する水分あるいは養分を保持する保水材とを有することを特徴とする保水具。
【請求項２】
前記保持部材が、少なくとも先端を茎に刺入可能な針状部材からなることを特徴とする請求項１に記載の保水具。
【請求項３】
前記保水材が、前記保持部材の内部に収容されていることを特徴とする請求項１または請求項２に記載の保水具。
【請求項４】
前記保持部材が、経時的に大気中で分解、あるいは、経時的に水中で溶解する材料で形成されていることを特徴とする請求項１乃至請求項３のいずれかに記載の保水具。
【請求項５】
前記保持部材が、前記保水材の表面あるいは保水材全体を硬化させて形成されたものであることを特徴とする請求項１乃至請求項３のいずれかに記載の保水具。
【請求項６】
前記保水材が、茎の切断端部を収容する容器本体に収容され、  前記保持部材が、前記保水材の内部に挿入された茎の切断端部を固定するように埋設されていることを特徴とする請求項１または請求項２に記載の保水具。
【請求項７】
前記保持部材が、前記容器本体の開口部に対向する底部側から開口部方向に延びる１本あるいは複数の針状部材からなることを特徴とする請求項６に記載の保水具。
【請求項８】
前記針状部材が、前記容器本体の底面に一体に形成されていることを特徴とする請求項７に記載の保水具。
【請求項９】
前記針状部材が、先端が開口した中空状に形成され、水分あるいは養分が通過可能に構成されていることを特徴とする請求項７または請求項８に記載の保水具。
【請求項１０】
前記保持部材が、前記容器本体の側面側から中心方向に延びる複数の針状部材を有することを特徴とする請求項６に記載の保水具。
【請求項１１】
前記針状部材が、前記容器本体の側面に一体に形成されていることを特徴とする請求項１０に記載の保水具。
【請求項１２】
前記容器本体の開口部が、使用時に取り外し可能なフィルム状部材で密封されていることを特徴とする請求項６乃至請求項１１のいずれかに記載の保水具。
【請求項１３】
前記保水材が、水分あるいは養分を含有するゲル状物質で構成され、
前記保水材の表面には、該保水材に含有された水分の蒸発を防止する膜状体が設けられていることを特徴とする請求項６乃至請求項１２のいずれかに記載の保水具。
【請求項１４】
前記保持部材が、前記保水材の表面あるいは保水材全体を硬化させて形成されたものであることを特徴とする請求項６乃至請求項１３のいずれかに記載の保水具。
【請求項１５】
前記容器本体および／または前記保持部材が、経時的に大気中で分解、あるいは、経時的に水中で溶解する材料で形成されていることを特徴とする請求項６乃至請求項１４のいずれかに記載の保水具。
【発明の詳細な説明】
【技術分野】
【０００１】
本発明は、茎の切断端部に固定され、茎に水分あるいは養分を供給する保水具に関し、特に切り花等の販売・運搬時の鮮度維持に適した保水具に関する。
【背景技術】
【０００２】
従来、切り花等の茎の切断端部を有する植物は、販売店や購入者が花瓶等の容器に水を入れ切り花等の切断端部を浸けて保存されているが、運搬時には、水を入れた容器ごと運搬するのは困難である。
切断端部からの水や養分の供給が途絶えた状態で運搬した場合、植物の鮮度は劣化し、長時間の運搬は不可能であるとともに、短時間でも、その後の鮮度を維持できる時間が短縮してしまうという問題があった。
【０００３】
このような問題を軽減するため、茎の切断端部を濡れた紙やスポンジ等で覆って水分や養分を供給することが行われており、さらに充分に水分や養分を供給するため、茎の切断端部を水分や養分の供給能力の高い保水材に挿入するものも公知である（特許文献１乃至３等参照。）。
【先行技術文献】
【特許文献】
【０００４】
【特許文献１】特開平５−３２２８３号公報（全頁、全図）
【特許文献２】特開２０１１−３０５６９号公報（全頁、全図）
【特許文献３】特開２０１１−３７５１５号公報（全頁、全図）
【発明の概要】
【発明が解決しようとする課題】
【０００５】
茎の切断端部を濡れた紙やスポンジ等で覆う場合や、上記特許文献１乃至３に示すような公知の保水具においては、運搬時にも茎の切断端部に水分や養分を供給するために、茎の切断端部が濡れた紙やスポンジ等あるいは保水材の内部から外れないように固定する必要がある。
茎の切断端部を濡れた紙やスポンジ等で覆う場合や、上記特許文献２に記載されたような保水具では、紐やゴム等で茎の端部周辺にしっかり巻きつける作業が必要であった。
また、特許文献１および特許文献３に記載されたような保水具では、植物全体をしっかり包装固定するか、常に茎の切断端部を下側に位置させておく必要があった。
さらに、運搬後に再び花瓶に挿したり、根付かせる培養地に挿したりする際には、保水具を外す作業が必要となるとともに、花瓶や培養地に挿した後は、養分を与えるため栄養剤や肥料等を別途施す必要があった。
【０００６】
そこで本発明は、前述したような公知の技術あるいは保水具の問題を解決するものであって、簡単な構成で、汎用性が高く、簡単な作業で容易に茎の切断端部に固定することが可能で、植物に必要な水分あるいは養分を供給して鮮度を充分に維持する保水具を提供することを目的とする。
【課題を解決するための手段】
【０００７】
本請求項１に係る発明は、茎の切断端部に固定され、茎に水分あるいは養分を供給する保水具であって、茎に固定保持される保持部材と、該保持部材と一体化され、茎に供給する水分あるいは養分を保持する保水材とを有することにより、前記課題を解決するものである。
【０００８】
本請求項２に係る発明は、請求項１に記載された保水具の構成に加えて、前記保持部材が、少なくとも先端を茎に刺入可能な針状部材からなることにより、前記課題を解決するものである。
【０００９】
本請求項３に係る発明は、請求項１または請求項２に記載された保水具の構成に加えて、前記保水材が、前記保持部材の内部に収容されていることにより、前記課題を解決するものである。
【００１０】
本請求項４に係る発明は、請求項１乃至請求項３のいずれかに記載された保水具の構成に加えて、前記保持部材が、経時的に大気中で分解、あるいは、経時的に水中で溶解する材料で形成されていることにより、前記課題を解決するものである。
【００１１】
本請求項５に係る発明は、請求項１乃至請求項３のいずれかに記載された保水具の構成に加えて、前記保持部材が、前記保水材の表面あるいは保水材全体を硬化させて形成されたものであることにより、前記課題を解決するものである。
【００１２】
本請求項６に係る発明は、請求項１または請求項２に記載された保水具の構成に加えて、前記保水材が、茎の切断端部を収容する容器本体に収容され、前記保持部材が、前記保水材の内部に挿入された茎の切断端部を固定するように埋設されていることにより、前記課題を解決するものである。
【００１３】
本請求項７に係る発明は、請求項６に記載された保水具の構成に加えて、前記保持部材が、前記容器本体の開口部に対向する底部側から開口部方向に延びる１本あるいは複数の針状部材からなることにより、前記課題を解決するものである。
【００１４】
本請求項８に係る発明は、請求項７に記載された保水具の構成に加えて、前記針状部材が、前記容器本体の底面に一体に形成されていることにより、前記課題を解決するものである。
【００１５】
本請求項９に係る発明は、請求項７または請求項８に記載された保水具の構成に加えて、前記針状部材が、先端が開口した中空状に形成され、水分あるいは養分が通過可能に構成されていることにより、前記課題を解決するものである。
【００１６】
本請求項１０に係る発明は、請求項６に記載された保水具の構成に加えて、前記保持部材が、前記容器本体の側面側から中心方向に延びる複数の針状部材を有することにより、前記課題を解決するものである。
【００１７】
本請求項１１に係る発明は、請求項１０に記載された保水具の構成に加えて、前記針状部材が、前記容器本体の側面に一体に形成されていることにより、前記課題を解決するものである。
【００１８】
本請求項１２に係る発明は、請求項６乃至請求項１１のいずれかに記載された保水具の構成に加えて、前記容器本体の開口部が、使用時に取り外し可能なフィルム状部材で密封されていることにより、前記課題を解決するものである。
【００１９】
本請求項１３に係る発明は、請求項６乃至請求項１２のいずれかに記載された保水具の構成に加えて、前記保水材が、水分あるいは養分を含有するゲル状物質で構成され、前記保水材の表面には、該保水材に含有された水分の蒸発を防止する膜状体が設けられていることにより、前記課題を解決するものである。
【００２０】
本請求項１４に係る発明は、請求項６乃至請求項１３のいずれかに記載された保水具の構成に加えて、前記保持部材が、前記保水材の表面あるいは保水材全体を硬化させて形成されたものであることにより、前記課題を解決するものである。
【００２１】
本請求項１５に係る発明は、請求項６乃至請求項１３のいずれかに記載された保水具の構成に加えて、前記容器本体および／または前記保持部材が、経時的に大気中で分解、あるいは、経時的に水中で溶解する材料で形成されていることにより、前記課題を解決するものである。
【発明の効果】
【００２２】
本請求項１に係る発明の保水具は、茎の固定する保持部材と保水材が一体化されているため、簡単な構成で、簡単な作業で容易に保水具を茎の端部に固定することが可能となり、運搬時にも外れることなく、植物に必要な水分あるいは養分を供給して鮮度を充分に維持することができる。
【００２３】
本請求項２に記載の構成によれば、針状部材が茎の切断端部に刺さって固定されるため、さらに確実に固定され、運搬時等に振動や衝撃が加わっても外れることが防止される。
本請求項３に記載の構成によれば、保水材の流動性が高くても確実に保持部材と一体化できるため、対象とする植物に応じた保水材の選択の自由度が向上する。
本請求項４に記載の構成によれば、運搬後に再び花瓶に挿したり、根付かせる培養地に挿したりする際に、保水具を外すことなくそのまま使用することができ、さらに簡単に取り扱うことが可能となる。
また、保管や運搬時のみならず、花瓶や培養地に挿す際の養分として栄養剤や肥料の代わりに使用することが可能となる。
さらに、廃棄する場合も保持具を取り外すことなく植物と一緒にゴミとして廃棄可能となる。
本請求項５に記載の構成によれば、さらに構成が簡単となるとともに、保管や運搬時のみならず、花瓶や培養地に挿す際の養分として栄養剤や肥料の代わりに使用することが可能となる。
また、廃棄する場合も保持具を取り外すことなく植物と一緒にゴミとして廃棄可能となる。
【００２４】
本請求項６に記載の構成によれば、保水材の内部に挿入された茎の切断端部を固定する保持部材が埋設されているため、容器本体の開口部側から茎の切断端部を挿入するだけで容易に保水材を茎の切断端部に固定することが可能となり、運搬時にも外れることなく、植物に必要な水分あるいは養分を供給して鮮度を充分に維持することができる。
また、保管・運搬にかかる時間に応じて、容器本体の容量を任意に設計して供給可能な水分あるいは養分の総量を最適化することが可能となる。
本請求項７に記載の構成によれば、針状部材が茎の切断端部に刺さって固定されるため、さらに運搬時等に振動や衝撃が加わっても外れることが防止される。
本請求項８に記載の構成によれば、保水具をより簡単な構成とすることができ、製造にかかるコストも安価なものとなる。
本請求項９に記載の構成によれば、針状部材の直径が茎の切断端部の直径に対して大きな割合を占めるものであっても、水分あるいは養分を十分に供給することができ、植物の鮮度を充分に維持することができる。
【００２５】
本請求項１０に記載の構成によれば、針状部材が茎の切断端部を周囲から固定するため、茎の切断端部の切断面からの水分あるいは養分の供給量が増加し、さらに植物の鮮度を充分に維持することができる。
本請求項１１に記載の構成によれば、保水具をより簡単な構成とすることができ、製造にかかるコストも安価なものとなる。
本請求項１２に記載の構成によれば、使用前に保水材からの水分の蒸発が防止され、手軽に保管することができるとともに、フィルムを剥がすだけの簡単な作業で容易に使用することができる。
【００２６】
本請求項１３に記載の構成によれば、使用時にも保水材の表面からの水分の蒸発が防止され、水分あるいは養分を十分に供給することができ、植物の鮮度を充分に維持することができる。
本請求項１４に記載の構成によれば、さらに構成が簡単となるとともに、運搬後に再び花瓶に挿したり、根付かせる培養地に挿したりする際に、容器本体のみを外して保持部材を外すことなくそのまま使用することができ、花瓶や培養地に挿す際の養分として栄養剤や肥料の代わりに使用することが可能となる。
本請求項１５に記載の構成によれば、運搬後に再び花瓶に挿したり、根付かせる培養地に挿したりする際に、保水具を外すことなくそのまま使用することができ、さらに簡単に取り扱うことが可能となる。
また、保管や運搬時のみならず、花瓶や培養地に挿す際の養分として栄養剤や肥料の代わりに使用することが可能となる。
さらに、廃棄する場合も保持具を取り外すことなく植物と一緒にゴミとして廃棄可能となる。
【図面の簡単な説明】
【００２７】
【図１】本発明の第１実施例である保水具の断面図。
【図２】本発明の第２実施例である保水具の断面図。
【図３】本発明の第３実施例である保水具の断面図。
【図４】本発明の第４実施例である保水具の断面図および平面図。
【図５】本発明の第５実施例である保水具の斜視図。
【図６】図５の保水具の断面図および平面図。
【図７】図６の茎が刺さった状態の断面図。
【図８】本発明の第６実施例である保水具の断面図。
【図９】本発明の第７実施例である保水具の断面図および平面図。
【図１０】本発明の第８実施例である保水具の断面図および平面図。
【図１１】本発明の第９実施例である保水具の断面図および平面図。
【発明を実施するための形態】
【実施例１】
【００２８】
本発明の第１実施例である保水具１０は、図１に示すように、中空の基部部材１４と、該基部部材１４から上方に延びる中空の針状部材１３からなる保持部材１２の内部空間に、保水材１１を収容保持して構成される。
保水材１１は、水分あるいは養分を含有するゲル状物質で構成され、針状部材１３を茎Ｐの切断端部に突き刺すことで、水分や栄養分等が茎Ｐの切断端部に供給される。
【００２９】
なお、針状部材１３を複数設けても良く、個々の針状部材１３の硬さ、太さ、長さ、先端形状等や、複数設けた場合の針状部材１３の配置、間隔等も、保持する茎Ｐの硬さや太さに応じて適宜設計すれば良い。
特に、先端近傍に返しをつけたり、先端部を底面がやや大径で周囲に突出するような円錐形に形成すれば、刺さった茎Ｐの抜けが防止される。
【００３０】
また、基部部材１４の大きさや形状も、いかなるものであっても良い。
さらに、保持部材１２を経時的に大気中で分解、あるいは、経時的に水中で溶解する材料で形成することで、保水具１０に茎Ｐを挿入して輸送保管した後に茎Ｐを水中や土中に移植する際、保水具１０を外すことなく移植可能となる。
その際には、使用前の保水具１０を長期間保存できるように、保水材１１の保持部材１２に接する部分に油脂膜等の耐水性、撥水性の膜状体を設けたり、保持部材１２の周囲を外気から密封するように包装すれば良い。
【実施例２】
【００３１】
本発明の第２実施例である保水具２０は、図２に示すように、基部部材２４と、該基部部材２４から上方に延びる針状部材２３からなる保持部材２２が、水分あるいは養分を含有する固体状物質で構成された保水材２１で形成されたものである。
【００３２】
なお、第１実施例同様、針状部材２３を複数設けても良く、個々の針状部材２３の硬さ、太さ、長さ、先端形状等や、複数設けた場合の針状部材２３の配置、間隔等も、保持する茎Ｐの硬さや太さに応じて適宜設計すれば良い。
特に、先端近傍に返しをつけたり、先端部を底面がやや大径で周囲に突出するような円錐形に形成すれば、刺さった茎Ｐの抜けが防止される。
【００３３】
また、基部部材２４の大きさや形状も、いかなるものであっても良い。
この構成により、保水具２０に茎Ｐを挿入して輸送保管した後に茎Ｐを水中や土中に移植する際、保水具２０を外すことなく移植可能となる。
また、使用前の保水具２０を長期間保存するため、保持部材２２の周囲に油脂膜等の耐水性、撥水性の膜状体を設けたり、外気から密封するように包装しても良い。
【実施例３】
【００３４】
本発明の第３実施例である保水具３０は、図３に示すように、中空の基部部材３４と、該基部部材３４から上方に延びる中空の針状部材３３からなる保持部材３２の内部空間に、保水材３１を収容保持して構成され、基部部材３４と針状部材３３が同一外形で１本の棒状に形成されたものである。
保水材３１は、水分あるいは養分を含有するゲル状物質で構成され、針状部材３３を茎Ｐの切断端部に突き刺すことで、水分や栄養分等が茎Ｐの切断端部に供給される。
【００３５】
なお、針状部材３３の硬さ、太さ、長さ、先端形状等は、保持する茎Ｐの硬さや太さに応じて適宜設計すれば良い。
特に、先端近傍に返しをつけたり、先端部を底面がやや大径で周囲に突出するような円錐形に形成すれば、刺さった茎Ｐの抜けが防止される。
【００３６】
また、保持部材３２を経時的に大気中で分解、あるいは、経時的に水中で溶解する材料で形成することで、保水具１０に茎Ｐを挿入して輸送保管した後に茎Ｐを水中や土中に移植する際、保水具３０を外すことなく移植可能となる。
その際には、使用前の保水具３０を長期間保存できるように、保水材１１の保持部材１２に接する部分に油脂膜等の耐水性、撥水性の膜状体を設けたり、保持部材１２の周囲を外気から密封するように包装すれば良い。
さらに、第２実施例と同様に、保持部材３２が、水分あるいは養分を含有する固体状物質で構成された保水材３１で形成されてもよい。
【実施例４】
【００３７】
本発明の第４実施例である保水具４０は、図４に示すように、環状の基部部材４４と、該基部部材４４の内周面から中央方向に延びる針状部材４３が周方向に複数設けられた保持部材４２が、水分あるいは養分を含有する固体状物質で構成された保水材４１で形成されたものである。
なお、第１実施例同様、針状部材４３および基部部材４４を中空とし、内部空間に水分あるいは養分を含有するゲル状物質で構成され保水材４１を収容保持しても良い。
【００３８】
針状部材４３は、周方向に９０°毎に配置された４本としたが、２本、３本でも良く５本以上設けても良く、上下方向の位置を変えて設けられても良い。
さらに、個々の針状部材４３の硬さ、太さ、長さ、先端形状等や、複数の針状部材４３の配置、間隔等も、保持する茎Ｐの硬さや太さに応じて適宜設計すれば良い。
また、基部部材４２の大きさや形状も、いかなるものであっても良い。
【００３９】
この構成により、保水具４０に茎Ｐを挿入して輸送保管した後に茎Ｐを水中や土中に移植する際、保水具４０を外すことなく移植可能となる。
また、使用前の保水具４０を長期間保存するため、保持部材４２の周囲に油脂膜等の耐水性、撥水性の膜状体を設けたり、外気から密封するように包装しても良い。
【実施例５】
【００４０】
本発明の第５実施例である保水具１００は、図１に示すように、茎Ｐの切断端部を収容する容器本体１１０と、該容器本体１１０内に保持され少なくとも水分を茎Ｐの切断端部に供給する保水材１２０とを有するものである。
さらに詳細に説明すると、図６に示すように、上方に開口部１１３を有した側面１１１と底面１１２からなる容器本体１１０と、該容器本体１１０内に収容保持された保水材１２０とを有している。
茎Ｐの切断端部は、容器本体１１０の開口部１１３から挿入され保水材１２０内部に挿入される。
保水材１２０は、水分あるいは養分を含有するゲル状物質で構成され、茎Ｐの切断端部が保水材１２０内部に挿入されることで、水分あるいは養分が茎Ｐの切断端部に供給される。
【００４１】
容器本体１１０の底面１１２には、開口部１１３方向に延び保水材１２０内に埋設された状態となるように針状部材１３１が設けられて保持部材１３０が構成されており、図７に示すように、上方から挿入された茎Ｐの切断端部が該針状部材１３１に刺さることで、茎Ｐの切断端部が保水材１２０内に固定される。
【００４２】
なお、茎Ｐの切断端部が保水材１２０内に挿入された体積分、保水材１２０の上面は容器本体１１０の上方に隆起するが、図示は簡略化のため省略した。
容器本体１１０の側面１１１の上端縁部１１４には、開口部１１３を密封するフィルム状部材１１５が設けられており、使用前は密封され、使用時の取り外すよう構成されている。
保水材１２０の開口部１１３側の表面には、油脂等からなる薄い膜状体１２１が設けられ、開口部１１３が開放された状態でも保水材１２０内の水分が蒸発することを防止している。
【実施例６】
【００４３】
本発明の第６実施例である保水具２００は、図８に示すように、第５実施例と同様に、上方に開口部２１３を有した側面２１１と底面２１２からなる容器本体２１０と、該容器本体２１０内に収容保持された保水材２２０とを有している。
茎Ｐの切断端部は、容器本体２１０の開口部２１３から挿入され保水材２２０内部に挿入される。
保水材２２０は、水分あるいは養分を含有するゲル状物質で構成され、茎Ｐの切断端部が保水材２２０内部に挿入されることで、水分あるいは養分が茎Ｐの切断端部に供給される。
【００４４】
保持部材２３０は、容器本体２１０の底面２１２とほぼ同一形状の基部部材２３２に、開口部１１３方向に延びる針状部材２３１が設けられて構成されている。
針状部材２３１を容器本体２１０の底面２１２に設けられた貫通孔２１６に貫通させ、基部部材２３２を容器本体２１０の底面２１２に密着させることで、第５実施例同様に、針状部材２３１が保水材２２０内に埋設された状態に構成されている。
【００４５】
なお、容器本体２１０の底面２１２に設けられた貫通孔２１６は、容器本体１１０の製造時に貫通していても良く、製造時には設けられず針状部材２３１によって貫通するものであっても良い。
また、容器本体２１０と保持部材２３０とは、使用前から図８の状態で密着固定されていてもよく、使用前は別体とし使用時に図８の状態に密着されるようにしても良い。
さらに、保持部材２３０を、前述の第１実施例、第２実施例の保持部材１２、２２と同様の構成としても良い。
【００４６】
容器本体２１０の側面２１１の上端縁部２１４には、開口部２１３を密封するフィルム状部材２１５が設けられており、使用前は密封され、使用時の取り外すよう構成されている。
保水材２２０の開口部２１３側の表面には油脂等からなる薄い膜状体２２１が設けられ、開口部２１３が開放された状態でも保水材２２０内の水分が蒸発することを防止している。
【００４７】
なお、第５実施例、第６実施例ともに、フィルム状部材１１５、２１５および膜状体１２１、２２１は必要に応じて適宜設ければ良い。
また、第５実施例、第６実施例ともに、図示において針状部材１３１、２３１を２本としたが、１本でも良く３本以上設けても良く、個々の針状部材１３１、２３１の硬さ、太さ、長さ、先端形状等や、複数の針状部材１３１、２３１の配置、間隔等も、保持する茎Ｐの硬さや太さに応じて適宜設計すれば良い。
特に、先端近傍に返しをつけたり、先端部を底面がやや大径で周囲に突出するような円錐形に形成すれば、刺さった茎Ｐの抜けが防止される。
さらに、保持する茎Ｐが細い場合は、複数の針状部材１３１、２３１の間に挿入されてその弾性で挟まれて固定されるようにしても良い。
その際、先端を円錐形に形成すれば、突出部が茎Ｐの側面に強く喰い込むことで、挟まれた茎Ｐの抜けが防止される。
【実施例７】
【００４８】
本発明の第７実施例である保水具３００は、図９に示すように、第５実施例と同様に、上方に開口部３１３を有した側面３１１と底面３１２からなる容器本体３１０と、該容器本体３１０内に収容保持された保水材３２０とを有している。
茎Ｐの切断端部は、容器本体３１０の開口部３１３から挿入され保水材３２０内部に挿入される。
保水材３２０は、水分あるいは養分を含有するゲル状物質で構成され、茎Ｐの切断端部が保水材３２０内部に挿入されることで、水分や養分が茎Ｐの切断端部に供給される。
【００４９】
容器本体３１０の底面３１２には、開口部３１３方向に延び保水材３２０内に埋設された状態となるように針状部材３３１が設けられて保持部材３３０が構成されている。
針状部材３３１は中空状に形成され、その中空部にも保水材３２０が満たされており、容器本体３１０の底面３１２近傍の側部に流通孔３３３が設けられ、針状部材３３１中空部内外の保水材３２０の間で水分等の移動が可能となるように構成されている。
【００５０】
容器本体３１０の側面３１１の上端縁部３１４には、開口部３１３を密封するフィルム状部材３１５が設けられており、使用前は密封され、使用時の取り外すよう構成されている。
保水材３２０の開口部１１３側の表面には、油脂等からなる薄い膜状体１２１が設けられ、開口部１１３が開放された状態でも保水材１２０内の水分が蒸発することを防止している。
【００５１】
なお、本実施例においても、フィルム状部材３１５および膜状体３２１は必要に応じて適宜設ければ良い。
また、針状部材３３１の硬さ、太さ、長さ、先端形状等も、保持する茎Ｐの硬さや太さに応じて適宜設計すれば良い。
特に、先端近傍に返しをつけたり、先端部を底面がやや大径で周囲に突出するような円錐形に形成すれば、刺さった茎Ｐの抜けが防止される。
【実施例８】
【００５２】
本発明の第８実施例である保水具４００は、図１０に示すように、第５実施例と同様に、上方に開口部４１３を有した側面４１１と底面４１２からなる容器本体４１０と、該容器本体４１０内に収容保持された保水材４２０とを有している。
茎Ｐの切断端部は、容器本体４１０の開口部４１３から挿入され保水材４２０内部に挿入される。
保水材４２０は、水分あるいは養分を含有するゲル状物質で構成され、茎Ｐの切断端部が保水材４２０内部に挿入されることで、水分や養分が茎Ｐの切断端部に供給される。
【００５３】
容器本体４１０の側面４１１には、保水材４２０内に埋設された位置で中心方向に延びる針状部材４３１が複数設けられて保持部材４３０が構成されており、上方から挿入された茎Ｐが該針状部材４３１に周囲から挟まれ、茎Ｐの切断端部が保水材４２０内に固定される。
【００５４】
容器本体４１０の側面４１１の上端縁部４１４には、開口部４１３を密封するフィルム状部材４１５が設けられており、使用前は密封され、使用時の取り外すよう構成されている。
保水材４２０の開口部４１３側の表面には、油脂等からなる薄い膜状体４２１が設けられ、開口部４１３が開放された状態でも保水材４２０内の水分が蒸発することを防止している。
【実施例９】
【００５５】
本発明の第９実施例である保水具５００は、図１１に示すように、第５実施例と同様に、上方に開口部５１３を有した側面５１１と底面５１２からなる容器本体５１０と、該容器本体５１０内に収容保持された保水材５２０とを有している。
茎Ｐの切断端部は、容器本体５１０の開口部５１３から挿入され保水材５２０内部に挿入される。
保水材５２０は、水分あるいは養分を含有するゲル状物質で構成され、茎Ｐの切断端部が保水材５２０内部に挿入されることで、水分や養分が茎Ｐの切断端部に供給される。
【００５６】
保持部材５３０は、容器本体５１０の側面５１１の内側で保水材５２０内に埋設された位置に収容される環状の基部部材５３２に、中央方向に延びる針状部材５３１が周方向に複数設けられて構成されている。
なお、本実施例では、基部部材５３２は環状に一体の円筒形状に形成されているが、周方向複数に分割されていても良い。
また、保持部材５３０を、前述の第４実施例の保持部材４２と同様の構成としても良い。
【００５７】
容器本体５１０の側面５１１の上端縁部５１４には、開口部５１３を密封するフィルム状部材５１５が設けられており、使用前は密封され、使用時の取り外すよう構成されている。
保水材５２０の開口部５１３側の表面には油脂等からなる薄い膜状体５２１が設けられ、開口部５１３が開放された状態でも保水材５２０内の水分が蒸発することを防止している。
【００５８】
なお、第８実施例、第９実施例ともに、フィルム状部材４１５、４１５および膜状体４２１、４２１は必要に応じて適宜設ければ良い。
また、第８実施例、第９実施例ともに、図示において針状部材４３１、５３１を周方向に９０°毎に配置された４本としたが、２本、３本でも良く５本以上設けても良く、上下方向の位置を変えて設けられても良い。
さらに、個々の針状部材４３１、５３１の硬さ、太さ、長さ、先端形状等や、複数の針状部材４３１、５３１の配置、間隔等も、保持する茎Ｐの硬さや太さに応じて適宜設計すれば良い。
【００５９】
また、前記第５実施例乃至第９実施例において、容器本体１１０、２１０、３１０、４１０、５１０（および、第６実施例、第９実施例では、保持部材２３０、５３０）を経時的に大気中で分解、あるいは、経時的に水中で溶解する材料で形成することで、保水具１００、２００、３００、４００、５００に茎Ｐを挿入して輸送保管した後に茎Ｐを水中や土中に移植する際、保水具１００、２００、３００、４００、５００を外すことなく移植可能となる。
【００６０】
その際には、使用前の保水具１００、２００、３００、４００、５００を長期間保存できるように、膜状体１２１、２２１、３２１、４２１、５２１を保水材１２０、２２０、３２０、４２０、５２０の容器本体１１０、２１０、３１０、４１０、５１０（および、第６実施例、第９実施例では、保持部材２３０、５３０）に接する部分にも設けたり、容器本体１１０、２１０、３１０、４１０、５１０の周囲を外気から密封するように包装すれば良い。
【符号の説明】
【００６１】
１０、２０、３０、４０                  ・・・保水具
１１、２１、３１、４１                  ・・・保水材
１２、２２、３２、４２                  ・・・保持部材
１３、２３、３３、４３                  ・・・針状部材
１４、２４、３４、４４                  ・・・基部部材
１００、２００、３００、４００、５００  ・・・保水具
１１０、２１０、３１０、４１０、５１０  ・・・容器本体
１１１、２１１、３１１、４１１、５１１  ・・・側面
１１２、２１２、３１２、４１２、５１２  ・・・底面
１１３、２１３、３１３、４１３、５１３  ・・・開口部
１１４、２１４、３１４、４１４、５１４  ・・・上端縁部
１１５、２１５、３１５、４１５、５１５  ・・・フィルム状部材
２１６                          ・・・貫通孔
１２０、２２０、３２０、４２０、５２０  ・・・保水材
１２１、２２１、３２１、４２１、５２１  ・・・膜状体
１３０、２３０、３３０、４３０、５３０  ・・・保持部材
１３１、２３１、３３１、４３１、５３１  ・・・針状部材
２３２                  ５３２  ・・・基部部材
３３３                  ・・・流通孔
Ｐ                                    ・・・植物の茎
【図１】
2013000017.tif 000003
【図２】
2013000017.tif 000004
【図３】
2013000017.tif 000005
【図４】
2013000017.tif 000006
【図５】
2013000017.tif 000007
【図６】
2013000017.tif 000008
【図７】
2013000017.tif 000009
【図８】
2013000017.tif 000010
【図９】
2013000017.tif 000011
【図１０】
2013000017.tif 000012
【図１１】
2013000017.tif 000013